(57)【要約】【課題】スマートフォンなどの携帯電子機器を片手で安定に保持することができる保持具を提供すること。【解決手段】シート状の保持部材の固定部を保持対象である携帯電子機器またはそのケースに固定することで、保持具を構成する。保持部材は外部から力を加えないとき保持対象の外形に沿っており、外部から力を加えて伸張したとき、保持対象との間にできる隙間に指または腕を通せば、携帯電子機器を片手で安定に保持することができる。保持部材の材料の弾性率が大きくて伸張しにくい場合は、保持部材に拡張部を配置することによって見かけの弾性率を低下させ、長手方向に伸張しやすい構造とする。すなわち、拡張部は、保持部材に、両側から交互に、幅方向に伸びる切り込みを入れるか、または幅方向に伸びる切り込みを千鳥状に配置する構造である。保持部材の平面形状は、長方形すなわちＩ字形状の他に、Ｖ字形形状、Ｙ字形状、略三角形状、Ｘ字形状でも良い。【選択図】図４
2019125370.tif 000002
【特許請求の範囲】
【請求項１】
携帯電子機器を保持対象とし、
該携帯電子機器の筐体または該携帯電子機器を収納するケースと、保持部材で構成されており、
該保持部材は独立した部材であり、
該保持部材の複数の固定部を該筐体または該ケースの表面に固定してあり、
該保持部材は、弾性を備えており、外部から力を加えないとき該筐体または該ケースの表面に沿っており、外部から力を加えたとき変形して、該筐体または該ケースの表面との間に指あるいは腕を入れる隙間を形成することを特徴とする携帯電子機器保持具。
【請求項２】
該保持部材は、その一部に他の部分と比較して小さい弾性率を示す拡張部を配置してあることを特徴とする請求項１に記載の携帯電子機器保持具。
【請求項３】
携帯電子機器を保持対象とし、
該携帯電子機器の筐体または該携帯電子機器を収納するケースの表面材に複数の切り抜き穴を開けることによって保持部材を形成し、
該保持部材は、弾性を備えており、外部から力を加えないとき該筐体または該ケースの表面と同じ面内に有り、外部から力を加えたとき変形して、該筐体または該ケースの表面との間に指あるいは腕を入れる隙間を形成することを特徴とする携帯電子機器保持具。
【請求項４】
該保持部材は、その一部に他の部分と比較して小さい弾性率を示す拡張部を配置してあることを特徴とする請求項３に記載の携帯電子機器保持具。
【請求項５】
該拡張部は切り込み構造であることを特徴とする請求項２に記載した携帯電子機器保持具。
【請求項６】
該拡張部は切り込み構造であることを特徴とする請求項４に記載した携帯電子機器保持具。
【請求項７】
該切り込み構造を形成する各切り込みの端部の形状が略円形もしくはその一部であることを特徴とする請求項５に記載した携帯電子機器保持具。
【請求項８】
該切り込み構造を形成する切り込みの端部の形状が略円形もしくはその一部であることを特徴とする請求項６に記載した携帯電子機器保持具。
【請求項９】
該保持部材は平面形状が複数の長方形を組み合わせた形状をなすことを特徴とする請求項１に記載の電子機器保持具。
【請求項１０】
該保持部材は平面形状が複数の長方形を組み合わせた形状をなすことを特徴とする請求項２に記載の電子機器保持具。
【請求項１１】
該保持部材は平面形状が複数の長方形を組み合わせた形状をなすことを特徴とする請求項３に記載の電子機器保持具。
【請求項１２】
該保持部材は平面形状が複数の長方形を組み合わせた形状をなすことを特徴とする請求項４に記載の電子機器保持具。
【請求項１３】
保持部材の固定部を自己粘着性フィルムの非粘着面に接着してあり、
該自己粘着性フィルムの粘着面を該筐体または該ケースに貼り付けて、該保持部材を固定したことを特徴とする請求項１に記載の携帯電子機器保持具。
【請求項１４】
保持部材の固定部を自己粘着性フィルムの非粘着面に接着してあり、
該自己粘着性フィルムの粘着面を該筐体または該ケースに貼り付けて、該保持部材を固定したことを特徴とする請求項２に記載の携帯電子機器保持具。
【発明の詳細な説明】
【技術分野】
【０００１】
本発明は、スマートフォン、タブレット型パーソナルコンピュータなどの携帯電子機器を主たる保持対象として、それを片手で安定に保持することができ、構造が簡単であり、取付が簡単であり、常時設置してあっても邪魔にならない、携帯電子機器保持具に関するものである。
【背景技術】
【０００２】
携帯電子機器を持って片手で使用するとき、押しボタンあるいはタッチパネルを操作するために親指を離さざるを得ないので携帯電子機器の保持状態が不安定になる。そのような状態を避けて片手で安定に保持するために各種の保持具、ホルダー、グリップ、ハンドストラップが提案されている。
【０００３】
たとえば特許文献１の携帯情報機器用保持具では、帯状の伸縮性織物の伸縮バンドの両端に、側面形状を略Ｕ字形や略Ｌ字形とする掛止フックの凹面部を対置し、該伸縮バンドと該掛止フックとを連結部材で固着した、携帯情報機器のケース背面に着脱自在に掛着する保持具の技術を提案している。
【０００４】
これは、片手で保持したとき伸縮バンドによって指が押さえつけられるので安定に保持できるという点は良い。しかし、掛止フックや連結部材が携帯情報機器のケースの表面から出っ張っており、収納するとき邪魔になる、もしくはそれを避けるために、いちいち全体を機器から外さないといけないなどの問題が有った。
【０００５】
また、たとえば特許文献２の携帯電子製品用のホルダーは、スライド材、アーム材、ベース材、ガイド材からなり、スライド材とアーム材の端部が係止されており、スライド材の別の端部はベース材との間にスライド材の端部が、移動が可能なスライド材収容空間を形成して、移動が可能になっており、端部をスライドさせるとスライド材とアーム材が山形に立ち上がることで、片手で安定に保持するために指を入れることができる隙間を形成する構造を提案している。
【０００６】
これは、部材の数が多く、構造が複雑になるという問題が有る。さらに、隙間の大きさが一定の範囲で自由に変わる構造なので、指を入れたとき特許文献１の伸縮バンドのように指などを押さえつけることがないので余分な隙間ができて安定に保持できないという問題が有った。
【先行技術文献】
【特許文献】
【０００７】
【特許文献１】特開２０１２−１４２８１０号公報
【特許文献２】特開２０１７−１９４８８８号公報
【発明の概要】
【発明が解決しようとする課題】
【０００８】
解決しようとする課題は、携帯電子機器または携帯電子機器を入れたケースを片手で安定に保持することができ、構造が簡単であり、保持対象となる携帯電子機器またはそのケースに容易に取り付けることができ、常時取り付けてあっても使用しないときは邪魔にならず、また、機器の操作性を向上できる保持具を提供することである。
【課題を解決するための手段】
【０００９】
請求項１に示したのは、
携帯電子機器を保持対象とし、
該携帯電子機器の筐体または該携帯電子機器を収納するケースと、保持部材で構成されており、
該保持部材は独立した部材であり、
該保持部材の複数の固定部を該筐体または該ケースに固定してあり、
該保持部材は、弾性を備えており、外部から力を加えないとき該筐体または該ケースの表面に沿っており、外部から力を加えたとき変形して、該筐体または該ケースとの間に指あるいは腕を入れる隙間を形成することを特徴とする携帯電子機器保持具である。
【００１０】
請求項２に示したのは、
該保持部材は、その一部に他の部分と比較して小さい弾性率を示す拡張部を配置してあることを特徴とする請求項１に記載の携帯電子機器保持具である。
【００１１】
請求項３に示したのは、
携帯電子機器を保持対象とし、
該携帯電子機器の筐体または該携帯電子機器を収納するケースの表面材に複数の切り抜き穴を開けることによって保持部材を形成し、
該保持部材は、弾性を備えており、外部から力を加えないとき該筐体または該ケースの表面材と同じ面内に有り、外部から力を加えたとき変形して、該筐体または該ケースとの間に指あるいは腕を入れる隙間を形成することを特徴とする携帯電子機器保持具である。
【００１２】
請求項４に示したのは、
該保持部材は、その一部に他の部分と比較して小さい弾性率を示す拡張部を配置してあることを特徴とする請求項３に記載の携帯電子機器保持具である。
【００１３】
請求項５、６に示したのは、
該拡張部は切り込み構造であることを特徴とする請求項２または請求項４のいずれかに記載した携帯電子機器保持具である。
【００１４】
請求項７、８に示したのは、
該拡張部の構造を形成する切り込みの端部の形状が略円形もしくはその一部であることを特徴とする請求項２または４に記載した携帯電子機器保持具である。
【００１５】
請求項９から１２までに示したのは、
該保持部材は平面形状が複数の長方形を組み合わせた形状をなすことを特徴とする請求項１から４までに記載の電子機器保持具である。
【００１６】
請求項１３、１４に示したのは、
該保持部材の固定部を自己粘着性フィルムの非粘着面に接着してあり、
該自己粘着性フィルムの粘着面を保持対象に貼り付けて、該保持部材を固定したことを特徴とする請求項１または請求項２に記載の携帯電子機器保持具である。
【００１７】
以下の説明の中で数字にアルファベットの添え字のある符号において、１つの図面内の説明では、アルファベットの部分を省略して、アルファベットの部分が異なり、数字が同じである複数の符号を同時に意味することがある。例えば、保持部材２１と書いた場合、保持部材２１ａと保持部材２１ｂの両方を意味する。
また、符号の説明でａ〜ｄと表記してあるのは、連続したａ、ｂ、ｃ、ｄを省略したものである。
【００１８】
図面では保持部材の厚さ方向から見た図を平面図、保持部材の幅方向から見た図を側面図、長手方向から見た図を正面図としている。
以下の説明では携帯電子機器の筐体または携帯電子機器を収納するケースの両方を同時に指して単にケースと呼ぶ場合がある。
【００１９】
本発明においては、携帯電子機器の部品、回路、基板などからなる本体が筐体に覆われているか、あるいは、さらにそれを保護などの目的でケースに収納している状態を前提としており、筐体と保持部材の組み合わせで携帯電子機器保持具を構成している場合か、またはケースと保持部材の組みあわせで携帯電子機器保持具を構成していて、最終的には携帯電子機器を保持しているが直接的にはケースを保持している場合の両方が有る。
【００２０】
本発明の第１の様態では、携帯電子機器保持具は、例えば図１に示すように、保持対象である携帯電子機器の筐体またはそれを納めるケース２と、シート状で、弾性を有し、独立した部材である保持部材２１とからなり、保持部材２１の複数の固定部２１３を携帯電子機器の筐体またはそれを納めるケース２に固定して、両者を繋ぐことで構成されている。なお、弾性とは物体に力を加えているときに生じた変形が、力を除くと、もとに戻る性質を指す。
【００２１】
本発明の第２の様態では、携帯電子機器保持具は、例えば図１０に示すように、携帯電子機器の筐体またはケースを形成する表面材に、複数（ここでは並列する２つ）の切り抜き穴を開けることで長方形を組み合わせた形状（ここでは長方形状）を切り残して、それを保持部材として、携帯電子機器保持具を構成している。この様態では、保持部材をあらためて筐体またはケース固定して繋ぐ必要が無い。
【００２２】
第２の様態の場合は、保持部材の一部分である固定部は、後から筐体またはケースに固定されるのではなく、初めから筐体またはケースの材料と一体化しているとみなされる。
また、保持部材の材料は筐体またはケースと同じであるので、筐体またはケースは弾性を有する材料で製作されている必要が有る。
【００２３】
第１の様態によって携帯電子機器保持具の基本的な構造、作用を説明する。図１は、長方形の保持部材２１ａの外形を示す図である。保持部材２１ａは、携帯電子機器のケース２ａの表面に、両端部である固定部２１３ａを、接着、粘着や図示しないカシメなど適宜な手段によって、分離しないように固定されている。保持対象である携帯電子機器の筐体またはケースに保持部材を固定してあるとは、この状態を言う。
【００２４】
携帯電子機器は、図で向こう側に、ディスプレイ等が設置されている面がある。また、ケース２ａの内側に納められていて、この図では見えない。
【００２５】
保持部材２１ａの両端部以外は筐体またはケース２ａに固定されていない。保持部材２１ａは、外部からの力が加わっていない時は、図１（ｂ）に示すように、本来の長さで真っ直ぐに伸びており、保持対象であるケース２ａの表面に沿っている。
【００２６】
図１（ｃ）に示すように、固定されている両端部の間の固定されていない部分である平坦部２１３ａに、図で矢印で示すように、上向きの力を加えると、保持部材２１ａは弾性を持っているので長手方向に伸びる。その結果、保持部材２１ａとケース２ａの間には隙間ができる。
【００２７】
保持部材２１ａに力を加えない場合の長さと弾性率の大きさを適当に選択すれば、この隙間は、指あるいは腕をいれることができる大きさになる。指あるいは腕を隙間に通すと、保持部材２１ａの弾性により元に戻ろうとする力によって、保持対象にしっかり押し付けられるので、保持対象を安定に保持することができる。
【００２８】
ここで、保持部材の材料自体の弾性率が大きい場合（すなわち、固くて伸びない場合）は、保持部材の長手方向の一部に、他の部分と比較して、同じ力でより変形する、すなわち弾性率の小さい部位である拡張部を配置する。図２は拡張部を備えた保持部材の外形図である。平面図である図２（ａ）に示すように、保持部材の長手方向の一部に、両側から交互に幅方向に切り込みを入れることで見かけの弾性率が小さくなった拡張部２１１ｂを形成することで、弾性率を補正できる。
【００２９】
ここでは、弾性率が小さいとは、このような拡張部を配置することによる見かけの弾性率も含んでいる。切り込みを入れて弾性率が小さい構造を形成する構造は、後で説明するように、ここに説明した以外にも有るが、切り込みを使っているものをまとめて切り込み構造と呼ぶ。
【００３０】
側面図である図２（ｃ）によれば、保持部材２１ｂの拡張部２１１ｂが変形している状態が見て取れる。
さらに、図８では、拡張部２１１ｂを備えた保持部材２１ｂが、力が加えられた結果、長手方向ならびに厚み方向に変形している状態を立体的にみることができる。
【００３１】
図８で、矢印で示すように、図示していないケースに固定されている保持部材２１ｂの両端の固定部２１３ｂには、図でむこう向きの力がかかっており、中央にある平坦部２１２ｂには図で手前向きの力がかかっている。その力により、拡張部２１１ｂが変形して、切り込み２１４ｂが口を開くことによって、長手方向ならびに厚み方向に変形していることが見て取れる。
【００３２】
この構造によれば、個々の部分の変形が小さい場合でも、それが多数集まって、拡張部は長手方向に大きく伸張できる。切り込みの構造は図２などに示したものに限定されない。例えば、幅方向に延びる切り込みを千鳥格子状に配置した構造でも良い。すなわち、切り込みの構造、切り込みを入れる場所、個数、分布などを適当に選択すれば、見かけの弾性率を広い範囲で調整できる。
【００３３】
図３ならびに図４は携帯電子機器保持具を使用して携帯電子機器を保持する状況の見取り図である。例として、保持部材２１ａまたは保持部材２１ｂをスマートフォンなどの携帯電子機器のケース２のディスプレイなどの無い裏側（図で手前側）に固定して、携帯電子機器を片手で保持している状況を示している。図の向こう側に図示しない使用者の顔が有って、ディスプレイの画面を見ている状況である。
【００３４】
図３または図４で、第３指７３と第４指７４を、伸張した保持部材２１ａまたは保持部材２１ｂと携帯電子機器のケース２の間の隙間を通しており、第２指７２と第５指７５は隙間の外側に置いている。保持部材２１ａまたは保持部材２１ｂの変形により引っ張り応力と曲げ応力が発生していることによって第３指７３と第４指７４が携帯電子機器のケース２に押し付けられ、直接的には携帯電子機器のケース２を、最終的にはケース２に収納された携帯電子機器を片手で安定に保持している。
【００３５】
図から見て取れるように、第１指（親指）７１を離して自由に動かすことができる。従って、図でケース２の向こう側にある携帯電子機器の表側にあるタッチパネルなどを広い範囲で容易に操作できる。
【００３６】
図３または図４では、ケース２にそれぞれ保持部材２１ａまたは保持部材２１ｂを取り付けた例を示しているが、ケース２を携帯電子機器の筐体と見ることもできて、すなわち、携帯電子機器に直接に保持部材を取り付けた状態として見ても良い。
【００３７】
保持部材２１ａまたは保持部材２１ｂと携帯電子機器のケース２の間の隙間から指を抜けば、弾性によって保持部材２１ａまたは保持部材２１ｂは本来の長さに戻り、保持対象の表面に沿った状態になる。
【００３８】
シート状の保持部材は、シート状の材料から切り抜く方法に限らず、高分子材料を金型で成形するか、あるいは３次元プリンターなどで製作することで、ケースとは独立した部材として製作される。
【００３９】
なお、ここでは保持部材２１をケース２に固定することで説明したが、ケースの代わりに携帯電子機器の筐体であっても同じである。
【００４０】
ここでは保持部材の形状は長方形（Ｉ字形状）で説明してきたが、形状はそれに限らない。後に説明するように、具体的な例としては、Ｖ字形状、Ｙ字形状、略三角形状、Ｘ字形状やそれらの変形などであっても良い。
【発明の効果】
【００４１】
本発明によれば、携帯電子機器を片手で安定に保持することができ、落下させる危険が少ない。保持に親指を使わないので、動きに制約が無くなり、操作できる範囲が広がる。構造が簡単であり、対象となる携帯電子機器の筐体または携帯電子機器を収納するケースに容易に取り付けることができ、設置してあっても使わないときは保持部材の材料１枚の厚みになるので、携帯電子機器をポケットなどに収納する時も邪魔にならず、製造が簡単でコストが低い携帯電子機器保持具を実現できる。
【図面の簡単な説明】
【００４２】
【図１】長方形の保持部材の外形図である。
【図２】拡張部を備えた保持部材の外形図である。
【図３】弾性率が小さい保持部材を使った保持具で携帯電子機器を保持する状況の見取り図である。
【図４】拡張部を備えた保持部材を使った保持具で携帯電子機器を保持する状況の見取り図である。
【図５】切り込みの位置、数量、形状の例を示す図である。
【図６】保持部材の輪郭形状の例を示す図である。
【図７】拡張部の構造の別の例を説明する図である。
【図８】拡張部を有する保持部材が変形した状態の斜視図である。
【図９】長方形の保持部材を設置してあるケースの斜視図である。
【図１０】切り抜き穴で保持部材を形成してあるケースの斜視図である。
【図１１】拡張部を備えた保持部材を設置してあるケースの斜視図である。
【図１２】Y字形状である保持部材の平面図である。
【図１３】略三角形状である保持部材の平面図である。
【図１４】Y字形状、略三角形状である保持部材をケースに取り付けた状況を示す平面図である。
【図１５】Ｘ字形状である保持部材の平面図である。
【図１６】ケースを切り抜いて作成する保持部材の平面図である。
【図１７】切り込み端部を拡大した図である。
【図１８】弾性の小さい材料を拡張部に備えた保持部材の平面図である。
【図１９】自己粘着性フィルムを使った貼り付けの状態を示す見取図である。
【発明を実施するための形態】
【実施例１】
【００４３】
本実施例は、（課題を解決するための手段）で様態１として説明したものに対応する。本発明の携帯電子機器保持具は、携帯電子機器の本体を内蔵する筐体または携帯電子機器を収納するケースと、それに固定された保持部材で構成されている。すなわち、筐体またはケース自体が電子機器保持具の一部を構成する。
【００４４】
本実施例では保持部材は製作法にかかわらずシート状であり、独立した部材である。保持部材の形状は長方形状（Ｉ字形状）である。
【００４５】
図１に長方形の保持部材の外形図を示す。保持部材は携帯電子機器保持具の主要部材である。平面図である図１（ａ）から見て取れるように、保持部材２１ａは、長方形のシート状で、長手方向（図で左右）に帯状に伸びており、弾性を有する材料で製作されている。
【００４６】
側面図である図１（ｂ）に示すように、保持対象である携帯電子機器のケース２ａの、ディスプレイなどが設置されている正面とは反対側（図で上側）である背面に、保持部材２１ａを固定する。すなわち、保持部材２１ａの両端を２つの固定部２１３ａと定め、接着剤２１５ａによってケース２ａの表面にそれぞれを接着することで固定し、保持部材２１ａとケース２ａを繋いでいる。保持部材の複数の場所を該筐体または該ケースに固定してあるというのはこの状態を指している。
【００４７】
２つの固定部２１３ａは、保持部材２１ａに外部から力が加わっていないときの自然な長さになる位置に、接着剤２１５ａによって接着され、それぞれ固定されている。側面図である図１（ｂ）に示すように、接着剤２１５ａによって固定された部分を除いた保持部材２１ａの他の部分は携帯電子機器のケース２ａに固定されていない。図では接着剤２１５ａの厚さは見易さのために誇張してある。
【００４８】
このように、保持部材２１ａが保持対象であるケース２ａに繋がれることによって携帯電子機器保持具として成立する。
【００４９】
接着剤２１５ａに限らず、保持部材を固定できる機能を持っていれば粘着剤、粘着テープ、粘着シート、自己粘着性フィルムなど適当な方法であればよい。
保持部材を粘着剤で固定してある場合は、不要になったときや位置を変えたいときは筐体又はケースから剥がすことができるという利点がある。
【００５０】
保持部材２１ａの寸法は、保持する携帯電子機器の大きさや用途によって変わるが、例えば保持する対象がスマートフォンであれば、指を１本または２本入れて使用する場合で長さ７０〜９０ｍｍ程度、幅は１５〜２５ｍｍ程度であれば良い。腕を入れて使用する場合は、長さ２００〜２５０ｍｍ程度、幅は３０〜５０ｍｍ程度であれば良い。厚さは０．５〜２ｍｍ程度で、材料の弾性の大きさなどを勘案して最適な厚さを選択する。
【００５１】
保持部材の材料としては、シート状またはシート状に加工できるもので、ある程度の厚さが有り、必要な弾性を有し、手指で容易に撓ませることができる樹脂材料、例えば熱可塑性ポリウレタン樹脂、ポリアミド樹脂、低密度ポリエチレン樹脂、可撓性フッ素樹脂、シリコンゴムなどの樹脂など適宜な材料を用いることができる。
【００５２】
保持部材２１ａを作成する手段は、シート状の材料から切り出す方法、または金型を使って成形する方法、または３次元プリンターで作成する方法などから、適宜な手段を選べば良い。保持部材の材料は以降に説明する実施例２、３、４についても同じである。作成手段については実施例２についても同じである。
【００５３】
本実施例の携帯電子機器保持具の作用について説明する。図１（ｂ）に示すように、保持部材２１ａは外部からの力が加わらないときは携帯電子機器のケース２ａの表面に沿って伸びている。表面に沿っているとき、すなわち使わないときは厚さが薄いので収納などの邪魔にならない。
【００５４】
図１（ｃ）に示すように、保持部材２１ａの中央に有る固定されていない平坦部２１３ａに矢印で示すように図で上向きの力をかけると、引っ張りによって変形して、側面から見ると全体として固定部２１３ａを山裾とする山形を形成する。これによって、保持部材２１ａと携帯電子機器などのケース２ａの表面の間に隙間ができる。この隙間に使用者の指や腕を入れることができる。
【００５５】
図３は弾性率が小さい保持部材２１ａを使った携帯電子機器保持具で携帯電子機器を保持する状況の見取り図である。携帯電子機器を片手で保持する状態を示している。図で向こう側が、操作を行ったりするボタンや、表示画面を見るディスプレイが有る面である。保持部材２１ａと携帯電子機器のケース２の表面との間の隙間に差し入れた使用者の第３指７３と第４指７４を、保持部材２１ａが変形から回復しようとする力で押さえつけているので、第１指７１を離しても携帯電子機器を片手で安定に保持できている。
【００５６】
携帯電子機器のケースで説明したが、筐体とした場合でも同じである。
【００５７】
保持する対象は、筐体に覆われた携帯電子機器、あるいはさらにケースに収納されている携帯電子機器であると説明したが、それ以外の携帯機器や持ち運べる物体に応用することが可能である。この点はこれ以降に説明する全ての実施例についても同じである。
【００５８】
独立した部材である保持部材を筐体やケースに固定するには、接着、粘着、ハトメなどを使って、後から固定するが、あるいは図９に示すように、固定されていない個所と向き合う部分を切り抜いた構造にすれば、プラスチックを材料とし金型を使って保持部材と筐体やケースを一体で成形する方法でも容易に製作できる。
【実施例２】
【００５９】
本実施例は、（課題を解決するための手段）で様態２として説明したものに対応する。携帯電子機器の筐体または携帯電子機器を収納するケースの外形を造っている表面材に複数の切り抜き穴を開けることによって保持部材を形成し、それを使って携帯電子機器保持具を構成している事を特長としている。
【００６０】
具体的には、筐体またはケースの表面材に並列する２つの切り抜き穴を開けることによって、切り抜き穴の間に残った部分を、弾性を有する長方形の保持部材として形成している。その点で、実施例１で説明した、シート状の独立した保持部材を作成し、それを携帯電子機器の筐体または携帯電子機器を収納するケースの表面に、その両端部を固定した構造とは全く異なっている。
【００６１】
携帯電子機器の筐体や携帯電子機器を収納するケースの表面材に切り抜き穴があけられ、保持部材として使える厚さの面が有ること、および表面材の材質が必要な弾性を持っていることが前提である。切り抜き穴を開ける方法としては、ケースを製作した後に開ける方法と、ケースをプラスチックの射出成形などで製作する方法などがあるが、適宜な方法を選択すれば良い。
【００６２】
図１０は、切り抜き穴によって長方形の保持部材を形成してある、携帯電子機器を収納するケースの斜視図である。図１０に示した携帯電子機器５はスマートフォンなどであり、図で手前側の面にディスプレイ５０などを備えている。ケース２ｉは上蓋（図で手前側）が無い箱型であり、携帯電子機器５の背面（図で向こう側）に向けて、図示した点線に沿って（図で上に）移動して、スマートフォンなど携帯電子機器５に嵌め込む方式の構造である。
【００６３】
図１０に示すように、保持対象である携帯電子機器５の背面を覆うように作られているケース２ｉの底面２２ｉに、並列する２つの切り抜き穴２０ｉを開けると、その間にある部分を弾性を有する保持部材２１ｉとして用いることができる。
【００６４】
図１０に示す保持部材２１ｉにおいては、図１で示した固定部２１３ａと同じ部分は実体的には存在しない。しかし、仮想的に保持部材２１ｉを長手方向に延長した位置に、ケース２ｉの底面２２ｉに破線で示した部分を考えると、これは保持部材２１ｉの固定部とみなせる部分である。なぜなら、この部分は、独立した保持部材の固定部を底面２２ｉに重ねて、接着してあるのと同等である。
【００６５】
この保持部材２１ｉは弾性を持っており、図で向こう側へ、力を加えれば変形するので、図で向こう側に底面２２ｉとの間に隙間ができて指を入れることができ、携帯電子機器５を安定に保持できる。すなわち、実施例１に示した携帯電子機器やケースに固定した保持部材２１ａと同じに作用し、携帯電子機器保持具として使うことができる。
【００６６】
図１０に示したケース２ｉは、既に説明したように底板２２ｉを切り抜いても、保持部材２１ｉを形成できるが、金型を使って切り抜き穴を初めから形成することもできる。
【００６７】
図９は長方形の保持部材を設置してあるケースの斜視図である。図９に示すケース２ｊは図１０のケース２ｉと同じタイプである。図９に示すケース２ｊの形状も金型を使って、図１０に示したケース２ｉと同じように、切り抜き穴２０ｊの部分は穴として成形する方法で、保持部材とケースを一体で製作できる。
図９は、独立した保持部材２１ｊをケース２ｊの底板２２ｊの裏側（図で向こう側）に固定した場合と同じ図である。それはすなわち、実施例１で説明した、独立した保持部材も、保持部材の下側を切り抜いた形状であれば金型を使って、ケース２１と一体化して製造できるということである。
【００６８】
図９、図１０において、携帯電子機器に外付けするケースで説明したが、図から見て取れるように、ケースは携帯電子機器自体の筐体を半割りとして得られる部分と同等であるから、携帯電子機器自体の筐体にこの技術を適用しても同様な効果が得られる。この点は、他の実施例についても同じである。
【００６９】
スマートフォンなどの携帯型の電子機器を収納するケースで箱型で嵌め込む方式のもので説明したが、それに限らず全体を包んで携帯電子機器を収納する手帳型などのタイプでも適用できる。この点は、筐体またはケースに切り抜き穴を開けて保持部材を生成する他の実施例についても同じである。
【００７０】
この実施例では、並列する２つの切り抜き穴で説明したが、図１６に示した、長方形以外の保持部材を形成するために別の形状や数の切り抜き穴を開けることでも良い。
【００７１】
その他の点は実施例１と同じであり、本実施例の保持部材２１ｉは実施例１で説明した保持部材２１ａと同じ携帯電子機器の保持具としての作用を実現する。
【実施例３】
【００７２】
本実施例は、保持部材の材料の弾性率が大きくて変形しにくい場合にそれを補正するために、他の部分と比較して小さい弾性率を示す拡張部を保持部材の一部に配置することを特長とするものである。保持部材の一部というのは、保持部材の中で固定部を除いた、他の部分を指している。
【００７３】
具体的には、図２に示すように、保持部材２１ｂの長手方向の一部に、他の部分とは異なる構造で、見かけの弾性率をより小さくする拡張部２１１ｂを配置することである。
【００７４】
保持部材の材料については実施例１と同様であるが、本実施例では実施例１の場合より大きい弾性率を示す材料も使うことができる。保持部材２１ｂを作成する方法は、実施例１または実施例２と同じである。
【００７５】
図２に本実施例の保持部材の外形図を示す。平面図である図２（ａ）に示したように、保持部材２１ｂはシート状で、長手方向（図で左右）に帯状に伸びた長方形であり、２つに分かれた拡張部２１１ｂを備えている。
【００７６】
側面図である図２（ｂ）に示すように、保持部材２１ｂの両端部である固定部２１３ｂを、保持対象であるスマートフォンなどの携帯電子機器のケース２ｂの背面（図で上側）に、接着剤２１５ｂにより固定してある。背面とは、ディスプレイなどが配置されている側の反対の面である。
【００７７】
図２（ａ）から見て取れる通り、拡張部２１１ｂは、保持部材２１ｂの、固定部２１３ｂの部分を除く、長手方向の一部において、向かい合う縁の両方から交互に幅方向に延びる切り込みを配置してあり、その結果蛇行形状になった構造である。なお、煩雑さを避けて、全ての切り込みには符号は付けていない。これは以下の切り込みを使った構造においても同じである。
【００７８】
この構造は、保持部材に引張りの力がかかると、多数の切り込みがそれぞれ小さな曲げ変形を起こして、口を開いたようになる。一つ一つの曲げ変形は小さいが、全体として大きな伸び変形となるので、材料自体の弾性率に比較して、見かけの弾性率は小さくなる。
【００７９】
本実施例の拡張部の切り込みを入れて形成する構造において、切り込みの場所、形状や数量はここに示したものに限る必要はなく、次に説明する、図５、図６に示したように様々な場所、形状や数量でも良い。
【００８０】
例えば、図５（ａ）は固定部を除いた保持部材２１ｃの長さ方向の３箇所に拡張部２１１ｃを配置したものである。それぞれの拡張部２１１ｃに切り込み２１４ｃを施している例である。
図５（ｂ）は、切り込み２１４ｄ同士の間隔が中央部だけ広くなっている例を示したものである。
図５（ｃ）は切り込み２１４ｅが直線状ではなく曲線状である例である。切り込みが曲線状であると、変形する距離が長くなるので弱い引っ張り力でも変形を大きくできる。切り込みは曲線状に限らず、折れ線状で有っても良い。
【００８１】
図５（ｄ）は切り込み２１４ｆが幅方向に対して傾いており、傾きの方向が中央部を境にして左右で異なっている例である。中央の平坦部２１２ｆに図で手前向きの力をかけたとき、平坦部２１２ｆは左右にある固定部２１３ｆを結んだ中心線上からずれた位置（図で下）に移動する。この方法で、保持部材２１ｆを変形したときの応力を携帯電子機器またはそのケースの表面に対して垂直でない方向に変えることで、使い勝手を変えることができる。
【００８２】
図５に示したものは、切り込みの長さ、方向、  曲がり、分布について図２に示したものを変形したものである。図２に示した切込みの変形は、これらに限らない。
【００８３】
図６は拡張部の幅が一定でなく長手方向に変化している例を示す図である。拡張部の輪郭形状は一定の幅ではなく自由な形状が選択できる。
【００８４】
また、拡張部の構造については、本実施例に示した構造とは異なる別のものであっても良い。その例として、千鳥格子状に配列された幅方向に延びる切り込みを配置したものについて説明する。図７は拡張部の構造について、別の例を説明する図である。
【００８５】
図７（ａ）は、図２で既に示した拡張部２１１ｂを形成する切り込みを使った構造を、比較のため再掲したものである。図７（ｂ）、図７（ｃ）はここで説明する別の構造の切り込み形状を示すものである。
【００８６】
それは、保持部材に千鳥格子状に配列された幅方向に延びる切り込み２１１ｍまたは切り込み２１１ｎを配置した構造である。これらの切り込み形状は、図７（ａ）に示した交互に切りこみを入れた蛇行形状とは別のものであり、一般的にエクスパンドメタルなどに使われる切り込み形状である。
【００８７】
図７（ｂ）、図７（ｃ）について、さらに詳しく説明する。図７（ｂ）に示した保持部材２１ｍは、縁から幅方向（図で上下）に伸びる切り込み２１４ｍ１が入っている縦の列と、縁にかからない中央部だけに切り込み２１４ｍ２が入っている列が、交互（図で左右）に並んでおり、切り込み２１４ｍ１と切り込み２１４ｍ２は図で上下方向に切込みの長さの半分だけ幅方向に位置がずれてたパターンを持っている。なお、切り込み２１４ｍ１と切り込み２１４ｍ２の符号は煩瑣を避けるため全ての切り込みには付けていない。
【００８８】
次に、図７（ｃ）に示した保持部材２１ｎの切り込み２１４ｎは、図７（ｂ）の切り込み２１４ｍのパターンを図で上下に２回繰り返して並べたパターンである。保持部材２１ｎでは、縦方向に切り込みが増えたので、千鳥格子状に配列されているということが判る。図示していないが、図７（ｂ）の切り込み２１４ｍのパターンを３回以上繰り返して上下に並べたパターンでも良い。
【００８９】
図７（ｄ）は、図７（ｃ）に示した保持部材２１ｎが長手方向に伸び変形したとき、切れ目が菱形に変形し、千鳥格子状に配列された菱形の孔が現れた状態を示している。このような切り込み形状を使うと、保持部材２１ｂを伸ばしたときひとつひとつの変形が少なく、見た目が良いという利点がある。
【００９０】
切り込みを入れて形成する拡張部の構造については図５、図６、図７を使って説明したものに限定されず、切り込みの場所、形状や数量、保持部材の輪郭形状について、保持する対象、あるいは使用する材料に合わせて、また使用者が使いやすいように、あるいはまた意匠の観点から、最適に変形し組み合わせて使うことができる。これらを切り込み構造と呼ぶ。
【００９１】
切り込みを使った拡張部を備えたケースを実際に使う状態について説明する。図１１は、拡張部を備えた保持部材を設置してあるケースの斜視図である。ここでは例として、ケース２ｋは上蓋の無い箱型を示している。ケース２は図で下側から、点線に沿って移動して携帯電子機器５にはめ込んで使用するタイプである。
【００９２】
この図に示すように、拡張部２１１ｋを備えた保持部材２１ｋを使った携帯電子機器保持具は、図４で示した状態を反対側から見るのと、切り抜き穴２０ｋが有ることを除いて、同じである。
【００９３】
切り抜き穴２０ｋは、図で向こう側に有る保持部材２１ｋを見易くするため、また保持部材２１ｋを固定しているのは端部にある固定部２１３ｋだけであり他の部分はケース２ｋに固定されていないことを明らかに示すために切り抜いたものであり、必ず必要なものではない。
【００９４】
その他の点は実施例１または実施例２と同様であり、拡張部を設置した保持具は、携帯電子機器保持具としての作用を実現する。
実施例２で説明した、切り抜くことで作成する保持部材に、ここで実施例１の独立した部材について説明したのと同様に拡張部を適用することができる。
【実施例４】
【００９５】
本実施例では、保持部材の一部に、切りこみ構造を使った拡張部とは異なり、弾性率がより小さい材料を使った拡張部を設置する方法について説明する。図１８は拡張部に弾性の小さい材料を備えた保持部材の平面図である。異なる材料を長手方向に並べて接着によって接続した保持部材である。
【００９６】
図１８（ａ）に示した長方形状の保持部材２１ｐは、図で左側から固定部２１３ｐ、拡張部２１１ｐ、平坦部２１２ｐ、２番目の拡張部２１１ｐ、２番目の固定部２１３ｐという、複数の独立した部材で構成されており、それぞれの間は図示しない接着剤で接着によって固定されている。図１８（ｂ）に示した側面図で、保持部材を構成する部材の端部が厚み方向に重なって接続されていることが見てとれる。
【００９７】
保持部材２１ｐの２つ固定部２１３ｐは、接着剤２１５ｐにより携帯電子機器５の筐体またはケース２に接着によって固定されて、保持部材２１ｐとケース２を繋いでいる。拡張部２１１ｐの材質は固定部２１５ｐや平坦部２１２ｐより弾性率が小さく、図１８（ｂ）で平坦部２１２ｐに図で上方向に力をかけると容易に伸張して、携帯電子機器５との間に隙間ができて、そこに指を入れることができ、携帯電子機器を片手で安定に保持できる。
【００９８】
保持部材の一部を弾性率が異なる材料に置き換えることは、全長が同一の弾性率を持った保持部材に比較して、例えば固定部と拡張部を同じような厚みとすることができる、弾性率が大きく伸び変形しない部分に各種のシールを張ることができる、あるいは次の実施例で説明するように保持部材の自由な形状を選択できるという利点が有る。
【実施例５】
【００９９】
ここまでの全ての実施例では保持部材の平面形状は、図１などに示したように、一定の幅の長方形で説明したが、本実施例では保持部材の形状はそれ以外の長方形を組み合わせた形状であることが特長である。以下にＹ字形状、略三角形状、X字形状を例に取って説明する。
【０１００】
図１２はY字形状である保持部材の平面図である。これは、３つの長方形を組み合わせた形状であり、３つの長方形の端部が平坦部２１２の位置で重なって、重なった部分が融合して一体化している形状である。全体として見るとＹ字形状になっている。
図１２に示したＹ字形状の保持部材は、シート状の材料から切り抜いて製作した、独立した部材である。
【０１０１】
図１２（ａ）に示したＹ字形状の保持部材２１ｒでは、例えば、Ｙ字形状の図で上側の１つの端部Ａから下側の端部Ｃまで見てゆくと、第１の固定部２１３ｒ、第１の平坦部２１２ｒがある。その次に第２の平坦部２１２ｒ３があるが、これは第１の平坦部と融合して１つになっている。次に、第２の固定部２１３ｒ３が順に並んでいる。すなわち、端部Ａから端部Ｃまでの部分は全体として両端部に固定部、中央部に平坦部を有する１つの保持部材を形成している。この保持部材は直線状ではなく、「く」の字状である。
【０１０２】
Ｙ字形状の図で上側の別の端部Ｂから下側の端部Ｃまで見てゆくと、こちらも同じように１つの保持部材を形成している。すなわち、Ｙ字形状の保持部材２１ｒは２つの保持部材の集合体とみなすことができる。
【０１０３】
図１２（ａ）に示した保持部材２１ｒのように材質の弾性率が十分に小さければ、拡張部は不要であるが、図１２（ｂ）に示した材質の弾性率が十分に小さくない保持部材２１ｓの場合は、拡張部２１１ｓを配置して弾性率を補正することができる。なお、拡張部２１１ｓを形成する切り込みの形状は図７（ｂ）に示したものと同様の構造を示してあるが別の切り込みを使う構造でも良い。この点は、本実施例の他の形状の場合も同じである。
【０１０４】
保持部材２１ｒの複数（ここでは３つ）の端部を固定部２１３ｒ、２１３ｒ２、２１３ｒ３とし、それぞれ図に破線で示した接着剤２１５ｒ、２１５ｒ３、２１５ｒ３をもって、図示しない携携帯電子機器の筐体またはそのケースに接着し固定してある。保持部材２１ｒとケースを繋げば携帯電子機器保持具を構成する。このとき保持部材２１ｒの固定部２１３ｒ以外の部分については携帯電子器またはそのケースに直接には固定されていない。
【０１０５】
保持部材２１ｒの製作の方法、材料については、実施例１で説明したのと同じである。
【０１０６】
図１４（ａ）はＹ字形状であり、拡張部を備える保持部材２１ｓを、固定部２１３ｓをケース２ｓの背面に接着して固定し、取り付けた状態を示した平面図である。携帯電子機器の筐体あるいはそのケースに保持部材を固定するために張り付ける場合の位置や角度は図１４（ａ）に示したものに限らず、使用者が使い易い位置や角度を選択することができる。携帯電子機器のケースではなく筐体に取り付けても同じである。ここでは、拡張部を備える保持部材２１ｓを使って説明したが、拡張部を備えていない保持部材２１ｒであっても同じである。
【０１０７】
図１２（ａ）で示した、３つの長方形を組み合わせた形状でできているＹ字形状をなす保持部材２１ｒは、図１に示した長方形の保持部材２１ａの１方の端を幅方向の中央で長手方向に途中まで切り裂いて左右に開いた形状と同等であるとみなすことができ、（図示しない）側面方向から見ることを想定すれば、図２（ｃ）に示したように保持部材２１ｂを側面から見たものと同様になり、保持部材２１ｒは図１で示した保持部材２１ａと同等に作用する。
【０１０８】
すなわち、図１４（ａ）で、２つの固定部２１３ｓの間に位置する平坦部２１２ｓに力をかけて、図で手前側に変形させて、その下側と、ケース２ｓの表面との間に隙間をつくることができて、できた隙間に指を入れることでスマートフォンなどの携帯電子機器を片手で安定に保持することができる。拡張部を備える保持部材２１ｓを使って説明したが、拡張部を備えていない保持部材２１ｒであっても同じである。
【０１０９】
さらに、Y字形状の下部（縦の棒）をなす長方形を共用して、端部Ａから端部Ｃ、端部Ｂから端部Ｃをつなぐ２つの保持部材が存在するのと同等であるので、図の左または右のどちら側からでも指を挿入して使うことができる。つまり左右の手のどちらを使っても携帯電子機器保持具を操作できるという利点が有る。
【０１１０】
また、保持部材が長方形であり携帯電子機器の長手方向に対して平行に設置されている場合に較べて、図１４（ａ）で斜めの破線で示したように、Ｙ字形状の場合、長手方向の実質的な角度がスマートフォンなどの携帯電子機器の長手方向に対して傾いており、使用者にとってより使い易いことが判っている。
【０１１１】
図１２（ｂ）に示した保持部材２１ｓについては、Ｙ字形状の１つの端部Ａから端部Ｃまで見てゆくと、第１の固定部２１３ｓ、第１の拡張部２１１ｓ、第１の平坦部２１２ｓと第２の平坦部が融合して１つになっている平坦部、第２の拡張部２１１ｓ３、第２の固定部２１３ｓ３となり、拡張部を備えている点が異なるが、それ以外は、ここまでに保持部材２１ｒについて述べたことは、保持部材２１ｓでも同じである。
【０１１２】
次に、保持部材の形状が三角形である場合について説明する。図１３は略三角形状である保持部材の平面図である。図１３に示した略三角形状の保持部材は、シート状の材料から切り抜いて製作したものである。外側の輪郭線は三角形をなしているが、中央部が抜けているので略三角形状と呼ぶ。
【０１１３】
図から見て取れる通り、保持部材２１の形状は３つの長方形を、正確に言えば長方形を変形し、具体的には湾曲させて、組み合わせた形状である。３つの長方形の２つの端部同士をそれぞれ重ねて１つに融合したものであり、全体として見ると中央部を抜き取った略三角形をなしている。図１３（ａ）に示した保持部材２１ｖでは、３つの長方形のそれぞれに固定部２１３ｖと平坦部２１２ｖが存在している。煩瑣をさけるため、符号は１つの長方形にだけ付けてある。
【０１１４】
図１３（ａ）は保持部材２１ｖに拡張部が配置されていない例を示しており、図１３（ｂ）は、保持部材２１ｗの弾性率が十分に小さくないことを補うため、保持部材２１ｗに拡張部２１１ｗが配置されている例を示している。拡張部２１１ｗは切り込みを入れて形成する構造であり、その形状は図７（ｂ）に示したものと同様の構造である。
【０１１５】
保持部材２１ｖにおいて、３つの長方形を組み合わせて、それらの端部同士が重なって融合した個所は３つあり、それは三角形の頂点である。三角形の頂点の部分は、保持部材を携帯電子機器の筐体あるいはケースに固定するための固定部２１３ｖになっている。
【０１１６】
図に破線で示したのは、保持部材２１ｖを図示しないケースなどに張り付けるために固定部２１３ｖの部分に配置した接着剤２１５ｖである。接着剤２１５ｖによって固定部２１３ｖを携帯電子機器の筐体またはそのケースに接着して固定する。保持部材２１とケースを繋ぐことで携帯電子機器保持具が成立する。
【０１１７】
このようにして保持部材２１ｖを固定したとき、固定部２１３ｖ以外の部分については携帯電子機器の筐体またはそのケースに直接には固定されていない。
【０１１８】
保持部材２１ｖの製作の方法、材料については、実施例１で説明したのと同じである。
【０１１９】
図１４（ｂ）は略三角形状の保持部材２１ｗを、携帯電子機器のケース２ｗの背面に、取り付けた状態を示した図である。携帯電子機器のケースではなく筐体に取り付けても同じである。携帯電子機器あるいはそのケースに保持部材を固定するために取り付ける場合の位置や角度は図１４（ｂ）に示したものに限らず、使用者が使い易い位置や角度を選択することができる。
【０１２０】
図１３（ａ）に示した略三角形状の保持部材２１ｖの任意の１辺を見ると、実施例１で示した長方形状の保持部材と同等である。すなわち、２つの固定部２１３ｖの間に位置する平坦部２１２ｖに力をかけて図で手前側に変形させて、その下側と、図示しないケースの表面との間に隙間をつくることができて、できた隙間に指を入れることでスマートフォンなどの携帯電子機器を片手で安定に保持することができる。
【０１２１】
すなわち保持部材２１ｖは、実施例１において、図１で示した長方形状の保持部材２１ａと同等に作用する。
【０１２２】
保持部材が長方形である場合に較べて、三角形状をなしている場合は、３つの内の２つの辺では保持部材の長手方向の角度がスマートフォンなどの携帯電子機器の長手方向に対して傾いており、またもう一つの辺では長手方向にたいして直角をなすように配置できるので、使用者が指を挿入する角度がいろいろ選べるので、左右の手を使い分けができるなど、より使い易いという利点がある。
【０１２３】
図１３（ｂ）に示した保持部材２１ｗについては、拡張部を備えている点を除けば、以上に述べたことは、全て保持部材２１ｖと同じである。
なお、図１４（ｂ）では煩雑を避けるため３つの内１つの長方形にのみ固定部、拡張部、平坦部を示す符号を付けてある。
【０１２４】
次に、保持部材の形状がＸ字形状である場合について説明する。図１５はＸ字形状である保持部材の平面図である。図から見て取れる通り、保持部材２１ｔの形状は４つの長方形を組み合わせた形状であり、その長方形の端部同士を重ねて１つに融合したものである。全体として見るとＸ字形状をなしている。
図１５に示したＸ字形状の保持部材は、シート状の材料から切り抜いて製作している。
【０１２５】
図１５（ａ）に示したように、保持部材２１ｔの材質の弾性率が十分に小さいものであれば、拡張部は不要であるが、図１５（ｂ）に示す保持部材２１ｕの材質の弾性率が大きく変形しにくい場合は、拡張部２１１ｕを配置して弾性率を補正することができる。拡張部２１１ｕは切り込みを使った構造を持っており、それは図７（ｂ）に示したものと同様である。ただし、それに限らず、他の切り込み構造であっても良い。
【０１２６】
図１５（ａ）に示した保持部材２１ｔにおいては、例えば、Ｘ字形状の一部である１つの端部Ａから隣の端部Ｃまで見てゆくと、第１の固定部２１３ｔ、第１の平坦部２１２ｔがある。その次に第２の平坦部があるが、これは第１の平坦部と融合して１つになっている。次に、第２の固定部２１３ｔが順に並んでおり、これは全体として端部に固定部、中央部に平坦部を有する１つの保持部材を形成している。
【０１２７】
図１５（ｂ）に示す拡張部を備える保持部材においては、上記に加えて各辺に拡張部２１１ｕが有る。
【０１２８】
隣り合う２つの長方形の組み合わせは４つ有るので、Ｘ字形状の保持部材２１ｕは見かけの上では４つの保持部材の集合体である。ただし、各保持部材は直線状ではなく、「く」の字状である。
【０１２９】
図１５（ａ）に示す保持部材２１ｔにおいて、Ｘ字形状を形成するための４つの長方形の相互に接続していない方の端部Ａ、Ｂ、Ｃ、Ｄを、携帯電子機器の筐体あるいはケースに固定するための固定部２１３ｔとする。破線で示したのは、固定部２１３ｔをケースに張り付けるために配置した接着剤２１５ｔである。
【０１３０】
接着剤２１５ｔによって、固定部２１３ｔを保持対象である携帯電子機器の筐体またはそのケースに固定する。筐体に固定した場合も同じである。保持部材２１ｔを筐体またはケースに繋ぐことで携帯電子機器保持具が成立する。このとき保持部材２１ｔの固定部２１３ｔ以外の部分については携帯電子器またはそのケースに直接には固定されていない。
【０１３１】
図１５（ａ）で示した４つの長方形が連結してＸ字形状をなす保持部材２１ｔの端部Ａから端部Ｃに至る部分は、実施例１で示した保持部材２１ａと、直線状ではない点が異なるが、同様に作用する。端部Ｂから端部Ｄ至る部分も同様である。
【０１３２】
すなわち、２つの固定部２１３ｔの間に位置する平坦部２１２ｔに力をかけて図の手前方向に変形させて、その下側と、図示しないケースの表面との間に隙間をつくることができて、できた隙間に指を入れることでスマートフォンなどの携帯電子機器を片手で安定に保持することができる。
【０１３３】
Ｘ字形状の保持部材２１ｔは、図の左または右のどちら側からでも指を挿入して、使うことができる。つまり左右の手のどちらを使っても携帯電子機器保持具を操作できるという利点が有る。
【０１３４】
保持部材２１ｔの製作の方法、材料については、実施例１で説明したのと同じである。
図１５（ｂ）に示した保持部材２１ｕについては、拡張部を備えている点を除けば、以上に述べたことは、全て保持部材２１ｔと同じである。
【０１３５】
次に、図示していないＶ字形状の保持部材について説明する。Ｖ字形状は２つの長方形を組み合わせた形状であり、反対方向に傾いた２つ長方形の下端を重ねて１つに融合した形状である。これは、Ｙ字形状の３つの長方形の端部が集合し１つに融合する位置が、下に移動してゆき、中央に有った縦棒がついに無くなった状態と同じ形状である。より簡単に言えば、２つの長方形の保持部材の両方の下側の端部が繋がった形状である。
【０１３６】
Ｖ字形状をなす２つの長方形の上端２カ所と、下部に有る２つが融合した点の３点を固定部として携帯電子機器の筐体またはそのケースに固定し、両者を繋げば、保持具を構成する。
【０１３７】
すなわち、斜辺をなす１つの保持部材の２つの固定部の間に位置する平坦部に力をかけて変形させて、その下側と、ケースの表面との間に隙間をつくることができて、できた隙間に指を入れることでスマートフォンなどの携帯電子機器を片手で安定に保持することができる。これは、図示していないが、Ｙ型形状から、容易に類推できる。
【０１３８】
Ｖ字形状をなす保持部材の製作の方法、材料については、実施例１で説明したのと同じである。
【０１３９】
さらに、ここで説明したV字形状、Ｙ字形状、略三角形状、Ｘ字形状以外でも保持部材の形状として使える。これらの字形において、字形を構成する各辺の長方形が、曲がり、長さ、幅の変化で変形したものも同じである。それらの場合、複数の固定部を筐体もしくはケースに固定してあり、固定部分の間で、指を隙間に入れることができるという条件に合えば良い。
【０１４０】
ここまでは、独立した保持部材についての説明であったが、次に、切り抜き穴によって形成する、長方形ではない保持部材の場合について説明する。例として、保持部材の形状がＹ字形状、略三角形状ならびにＸ字形状の場合について説明する。
【０１４１】
図１６は、ケース２から不要な部分を切り抜いて製作する保持部材の平面図である。図１６（ａ）はＹ字形状、図１６（ｂ）は略三角形状、図１６（ｃ）はX字形状である保持部材２１をそれぞれケース２ｙの底面２２ｙ、ケース２ｚの底面２２ｚ、ケース２ｘの底面２２ｘに形成した状態を示している。図１６で、破線で示したのは、仮想的な固定部２１３である。これついては、既に実施例２で説明したので繰り返さない。
【０１４２】
図１６（ａ）ではＹ字形状に沿って配置した複数（ここでは３つ）のＶ字形状に類似した切り抜き穴２０ｙの部分を切り抜くことでＹ字形状の保持部材２０ｙを形成していることを示している。図１６（ｂ）では略三角形状の周囲に沿って３つの切り抜き穴２０ｚと中央部分の切り抜き穴２０ｚを切り抜くことで略三角形状の保持部材２１ｚを形成していることを示している。
【０１４３】
図１６（ｃ）ではＸ字形状の周囲に沿っている４つの切り抜き穴２０ｘを切り抜くことでＸ字形状の保持部材２１ｘを形成していることを示している。３つの図で、ケース２の面から切り抜いた部分について、他と区別して分かり易くするために背景を砂地状にしてある。
【０１４４】
図１６の各図で、保持部材２１の平坦部２１２に力をかけて変形させて、ケース２の底面２２との間、あるいはケース２の下に存在する図示しない筐体との間に隙間を開けて、その下に指を入れれば、ケース２（すなわち図示しない携帯電子機器）を片手で安定に保持できる。すなわち、実施例１などに示した独立した部材である保持部材が携帯電子機器やケースに固定されている場合と同じに、携帯電子機器保持具として作用する。
【０１４５】
保持部材の形状がＹ字形状、略三角形状ならびにＸ字形状の場合について説明したが、独立した保持部材の場合と同じように、V字形状など、説明した形状以外でも長方形を組み合わせた形状であれば良い。これらの字形において、字形を構成する各辺が、曲がり、長さ、幅の変化で変形したものも同じである。
【０１４６】
ここまでは、拡張部を備えていない保持部材か、切り込み構造による拡張部を備えた保持部材についての説明であったが、次に、異なる材質の拡張部を備えた、長方形ではない保持部材の場合について説明する。図１８（ｃ）に示したのは、３つの長方形の組み合わせであるＹ字形状であって拡張部を備えた保持部材である。拡張部は、保持部材の一部に切り込みを入れる構造ではなく、保持部材の一部を他に較べて弾性の小さな材料に置き換えた構造である。既に実施例４で行った図１８（ａ）に示した長方形状の保持部材２１ｐの説明と同様であるが、以下に繰り返す。
【０１４７】
図１８は弾性率が異なる材料を長方形状の長手方向に並べて接着によって接続した保持部材を示している。すなわち、図１８は既に実施例３で説明した切り込み構造を、弾性率が小さい材料に置き換えたものである。
【０１４８】
図１８（ｃ）に平面図で示したＹ字形状の保持部材２１ｑは、図で左側から固定部２１３ｑ、拡張部２１１ｑ、平坦部２１２ｑ、２番目の拡張部２１１ｑ、２番目の固定部２１３ｑという、それぞれ独立した部材で構成されており、その間は図示しない接着剤で接着によって接続されている。図１８（ｄ）に示したのは、保持部材２１ｑの側面図であり、保持部材を構成する部材の端部が厚み方向に重なって接続されていることが見てとれる。
【０１４９】
保持部材２１ｑの固定部２１３ｑは、接着剤２１５ｑにより携帯電子機器の筐体またはケースに接着されることで、固定され、保持部材２１ｑと筐体またはケースは繋がっている。拡張部２１１ｑの材質は固定部２１５ｑや平坦部２１２ｑより弾性率が小さく、図１８（ｄ）で平坦部２１２ｑに図で上方向に力をかけると容易に伸張して、携帯電子機器５との間に隙間ができて、そこに指を入れることができ、携帯電子機器を片手で安定に保持できる。
【０１５０】
以上は、Ｙ字形状であって拡張部を備えた保持部材についての説明であるが、図示しないＶ字形状、Y字形状、略三角形状、X字形状についても同様に切込みを入れた構造の拡張部を弾性率の小さい材料で構成する拡張部に置き換えることができる。
【０１５１】
さらに、長方形以外の形状であって、弾性率の小さい材料を使った拡張部を備えた保持部材について、携帯電子機器の筐体やそのケースに複数の個所を固定でき、拡張部が必要な変形し易さを持っていれば、任意の形状のものが携帯電子機器保持具の保持部材として使える。
以上で弾性率の小さい材料を使った拡張部を備えた保持部材についての説明を終わる。
【０１５２】
各字形に展開する元になった長方形の形状、すなわち直線状で帯状に伸びるものについて説明したが、曲線状のもの、幅方向に輪郭が変化したものでも構わない。その例は既に説明した略三角形状である。略三角形状の保持部材は、直線状に伸びた長方形ではなく、曲線状に湾曲した３つの長方形の組み合わせからなるものである。別の例は、長方形の輪郭形状を変化させ自由な形状としたもので、例えば図６に示したような中膨れ形状や中細形状などである。
【０１５３】
（背景技術）の欄の特許文献１に示した、全長をテープ状の弾力のある材料とし端部に固定装置を設置して携帯電子機器の保持具としたものと較べると、保持部材の形状を長方形状以外に、Ｖ字形状、Ｙ字形状、略三角形状、Ｘ字形状など自由な形状を選択することができるということ、材料の厚さで構成できるので非常に薄くて、使用しないときは邪魔にならないこと、構造が簡単であることが特長である。
【０１５４】
このように、これまでに述べた構造、作用と矛盾しない形状であれば保持部材の形状は、長方形または変形した長方形を組み合わせて各種の自由な字形とすることができる。さらに、特定の字形ではなく自由な形状であっても良い。
【実施例６】
【０１５５】
これまでの実施例で図示した切り込みの先端部の形状は全て直線状であったが、その場合、保持部材に力が加わって変形するとき、切り込み先端部に応力が集中して材料が破断し易くなるという問題が有った。本実施例はその問題の対策を行うものである。すなわち、切り込みの先端における応力集中を避けるために、切り込み先端部の形状を線から小さな円形とすることでこの問題の対策とするものである。
【０１５６】
図１７は、切り込み端部を拡大した図である。既に図７（ａ）、図７（ｂ）に示した切込みの一部について、その先端部を拡大して示すものであり、図１７（ａ）は図７（ａ）、図１７（ｂ）は図７（ｂ）に対応している。図１７（ａ）、図１７（ｂ）は、直線状の切り込みの先端部２１６ｘを略円形にする手法を示している。
【０１５７】
図１７（ｃ）は図７（ａ）に、図１７（ｄ）は図７（ｂ）に対応している。図１７（ｃ）、図１７（ｄ）は、切り込みは線状ではなく、幅を大きくする手法を示している。平面図上で、切り込み先端部２１６ｙにおいて、図で左右に分かれた切り込みの端部をほぼ半円形状に接続した形状とする手法を示している。
【０１５８】
どちらの手法でも、拡張部を切り込みによって形成するときの先端の応力集中を回避できるので、全ての場合に適用できる。図では円形の直径を大きく誇張して描いてある。また、煩雑を避けるため、全ての切り込み、ならびに切り込みの端部には符号を付けていない。
【実施例７】
【０１５９】
本実施例は、保持部材を携帯電子機器またはそのケースに固定するために自己粘着性フィルムを使うことを特長としている。図１９は自己粘着性フィルムを使った貼り付けの状態を示す図である。図２に示した拡張部を持った長方形状の保持部材２１ｂを説明のために使っているが、それに限らず独立した部材である保持部材の場合全てに適用できる。
【０１６０】
平面図である図１９（ａ）に示すように、自己粘着性フィルム８は保持部材２１ｂに対してオーバーサイズである。保持部材２１ｂは自己粘着性フィルム８の非粘着面（図１９（ａ）で手前側、図１９（ｂ）、（ｃ）で上側）の上に位置し、固定部２１３ｂが接着剤２１５ｂによって自己粘着性フィルム８に接着されている。保持部材２１ｂの固定部２１３ｂ以外の部分は自己粘着性フィルム８に接着されていない。
【０１６１】
自己粘着性フィルム８は粘着面（図１９（ａ）で向こう側、図１９（ｂ）、（ｃ）で下側）の保護フィルムを剥がすと、携帯電子機器の筐体またはそのカバーの平滑な表面に容易に粘着し、保持部材２１ｂを固定することができる。粘着した自己粘着性フィルム８は、何度でも張り付けた後で剥がして、また貼り付けることができ、保持部材２１ｂを他の位置へ移動、あるいは他の機器またはそのカバーへ移設して固定することができる。
【０１６２】
自己粘着性フィルムは、端からめくるようにすると剥がしやすいが、張り付けてあるとき貼り付け面に垂直方向に引っ張っても容易にはがれないので、保持部材を携帯電子機器に固定するのに好適である。
【産業上の利用可能性】
【０１６３】
スマートフォン、タブレット型パーソナルコンピュータなどの携帯電子機器を片手で安定に保持することができる携帯電子機器保持具として利用できる。また、それに限らず一般的な電子機器またはその他のケースの保持具として、さらに幅広く各種の装置、器具を持ち上げたり、保持したりする持ち手として幅広く利用できる。
【符号の説明】
【０１６４】
１      保持具
２ａ、２ｂ、２ｉ〜２ｋ、２ｓ、２ｗ        ケース
２０ｉ〜２０ｋ、２０ｓ、２０ｗ      切り抜き穴
２１ａ〜２１ｋ、２１ｍ、２１ｎ、２１ｐ〜２１ｚ      保持部材
２１１ｂ〜２１１ｈ、２１１ｋ、２１１ｍ、２１１ｎ、２１１ｐ、２１１ｑ、２１１ｓ、２１１ｕ、２１１ｗ      拡張部
２１２ｂ、２１２ｅ〜２１２ｈ、２１２ｊ、２１２ｋ、２１２ｍ、２１２ｎ、２１２ｐ〜２１２ｚ      平坦部
２１３ａ〜２１３ｊ、２１３ｐ〜２１３ｗ      固定部
２１４ｂ〜２１４ｈ、２１４ｋ、２１４ｍ、２１４ｎ    切込み
２１５ａ、２１５ｂ、２１５ｐ〜２１５ｗ    接着剤
２１６ｘ、２１６ｙ    切り込み先端部
２２ｉ〜２２ｋ、２２ｔ、２２ｕ      底面
５      携帯電子機器
５０    ディスプレイ
７      手
７１    第１指
７２    第２指
７３    第３指
７４    第４指
７５    第５指
８      自己粘着性フィルム
Ａ、Ｂ、Ｃ、Ｄ    端部
【図１】
2019125370.tif 000003
【図２】
2019125370.tif 000004
【図３】
2019125370.tif 000005
【図４】
2019125370.tif 000006
【図５】
2019125370.tif 000007
【図６】
2019125370.tif 000008
【図７】
2019125370.tif 000009
【図８】
2019125370.tif 000010
【図９】
2019125370.tif 000011
【図１０】
2019125370.tif 000012
【図１１】
2019125370.tif 000013
【図１２】
2019125370.tif 000014
【図１３】
2019125370.tif 000015
【図１４】
2019125370.tif 000016
【図１５】
2019125370.tif 000017
【図１６】
2019125370.tif 000018
【図１７】
2019125370.tif 000019
【図１８】
2019125370.tif 000020
【図１９】
2019125370.tif 000021